(57)【特許請求の範囲】
【請求項１】
前扉と、該前扉を収納する後扉と、該後扉を収納する戸袋と、前記前扉、後扉を連動させる連動機構とを備えてなり、前記後扉は、前後の吊車を介して戸枠の上部のハンガレールから前後動自在に吊下し、前記前扉は、前部上端の吊車を介して前部を前記ハンガレールから吊下し、後部下端の戸車を介して後部を前記後扉の下端の走行レールによって前後動自在に支持し、後部上端の上向きの第１のガイドローラを前記後扉の上端に係合させることにより、前記前部上端の吊車、後部下端の戸車を介して対角線上の２点で支持し、前記後部上端の第１のガイドローラを介して他の１点で全開操作、全閉操作の全ストロークに亘って振れ止めし、前記連動機構は、前記前後の吊車を上面に搭載する左右対称断面で下部開放の補助フレームを介して前記後扉の上端に搭載することを特徴とする引戸装置。
【請求項２】
前記連動機構は、前記補助フレームに下向きに装着する前後のプーリに巻き掛けて前記補助フレームの内外に位置する無端のワイヤを備え、該ワイヤは、前記前扉上の固定金具を介して前記前扉の後部に連結するとともに、前記補助フレームの外部において戸枠に連結し、前記固定金具は、前記前扉を前記後扉に収納するとき、前記補助フレーム内に進入可能であることを特徴とする請求項１記載の引戸装置。
【請求項３】
前記前のプーリは、調節ねじ付きのテンションブラケットを介して前後に移動可能とすることを特徴とする請求項２記載の引戸装置。
【請求項４】
前記補助フレームは、左右対称の断面ハット形に形成することを特徴とする請求項１ないし請求項３のいずれか記載の引戸装置。
【請求項５】
前記走行レールには、前記戸車の外れ止め用の補助片を一体に形成することを特徴とする請求項１ないし請求項４のいずれか記載の引戸装置。
【発明の詳細な説明】
【技術分野】
【０００１】
この発明は、引戸を前扉、後扉に分割して組み合わせる引戸装置に関する。
【背景技術】
【０００２】
引戸を前扉、後扉に分割し、前扉を後扉に収納するようにして組み合わせる引戸装置は、戸袋のサイズが開口部の全幅の約半分で済み、しかも、戸袋の所要厚さを薄くすることができる。戸袋には、前扉を後扉に収納し、両者を一括して収納することができるからである（特許文献１）。
【０００３】
このものは、前後の吊車を介して後扉を戸枠の上部のハンガレールから前後動自在に吊下する一方、前扉は、前の吊車を介して前部をハンガレールから吊下し、後の吊車を介して後部を後扉内の別のハンガレールから吊下する。また、前扉、後扉は、連動機構を介して連動させるものとし、連動機構は、前扉、後扉の後部にそれぞれ上下動自在に組み込む摺動駒に対し、戸袋の後部に設ける揺動杆を共通に摺動自在に貫通させて構成されている。ただし、連動機構は、後扉上の前後のプーリにワイヤを巻き掛け、戸枠と前扉の前部とにワイヤを連結して構成してもよい（特許文献２）。
【先行技術文献】
【特許文献】
【０００４】
【特許文献１】特許第３４４７５９６号公報
【特許文献２】特許第３５３６２００号公報
【発明の概要】
【発明が解決しようとする課題】
【０００５】
かかる従来技術によるときは、前扉は、戸枠の上部のハンガレールと、後扉内の別のハンガレールとから吊下されるから、ハンガレールを２重に設ける必要があり、戸枠の上部の所要スペースが大きくなりがちである上、前扉の前部、後部を吊下する２本のハンガレールの平行度や高さなどに誤差を生じると、前扉の開閉が円滑でなくなるおそれがあるという問題があった。なお、プーリとワイヤとを使用する連動機構を用いる場合、戸枠の上部にさらに大きなスペースを要することになり、問題は一層深刻である。
【０００６】
そこで、この発明の目的は、かかる従来技術の問題に鑑み、戸車を介して前扉の後部を支持することによって、ハンガレールを１本のみとし、戸枠の上部の所要スペースを最少に抑えることができる引戸装置を提供することにある。
【課題を解決するための手段】
【０００７】
かかる目的を達成するためのこの発明の構成は、前扉と、前扉を収納する後扉と、後扉を収納する戸袋と、前扉、後扉を連動させる連動機構とを備えてなり、後扉は、前後の吊車を介して戸枠の上部のハンガレールから前後動自在に吊下し、前扉は、前部上端の吊車を介して前部をハンガレールから吊下し、後部下端の戸車を介して後部を後扉の下端の走行レールによって前後動自在に支持し、後部上端の上向きの第１のガイドローラを後扉の上端に係合させることにより、前部上端の吊車、後部下端の戸車を介して対角線上の２点で支持し、後部上端の第１のガイドローラを介して他の１点で全開操作、全閉操作の全ストロークに亘って振れ止めし、連動機構は、前後の吊車を上面に搭載する左右対称断面で下部開放の補助フレームを介して後扉の上端に搭載することをその要旨とする。
【０００８】
なお、連動機構は、補助フレームに下向きに装着する前後のプーリに巻き掛けて補助フレームの内外に位置する無端のワイヤを備え、ワイヤは、前扉上の固定金具を介して前扉の後部に連結するとともに、補助フレームの外部において戸枠に連結し、固定金具は、前扉を後扉に収納するとき、補助フレーム内に進入可能であってもよく、前のプーリは、調節ねじ付きのテンションブラケットを介して前後に移動可能としてもよい。
【０００９】
また、補助フレームは、左右対称の断面ハット形に形成することができ、走行レールには、戸車の外れ止め用の補助片を一体に形成することができる。
【発明の効果】
【００１０】
かかる発明の構成によるときは、前扉は、吊車を介して、後扉を吊下する戸枠の上部のハンガレールから前部を吊下し、戸車を介して、後扉の下端の走行レールによって後部を支持するとともに、後部上端の第１のガイドローラを後扉に係合させて振れ止めされている。すなわち、戸枠の上部には、１本のハンガレールを設けるだけで済み、戸枠の上部の所要スペースを最少に抑えることができる。また、前扉は、前部の吊車、後部の戸車を介して対角線上の２点で支持し、後部上端の第１のガイドローラを介して他の１点で振れ止めするから、不用意にこじれを生じたりするおそれがなく、常に円滑に開閉することができる。
【００１１】
後扉は、第２のガイドローラを介して傾きを防止することにより、不用意に傾いたり、揺れたりするおそれがない。なお、第２のガイドローラは、後扉を戸袋に収納すると後扉の前端部分に対応するように、戸袋の前端付近の戸枠上に上向きに設けることが好ましい。また、第２のガイドローラを後扉の下端の走行レールに係合させれば、走行レールを前扉の戸車用、第２のガイドローラ用に兼用することができる。
【００１２】
連動機構は、後扉上の前後のプーリに巻き掛けるワイヤを戸枠と前扉の後部とに連結することにより、ワイヤを介して前扉の前後動を後扉に伝達し、前扉を開閉操作するだけで後扉を併せて駆動することができる。なお、前のプーリは、ワイヤを前扉の後部に連結するために、必要最少限の距離だけ後扉の前方に突出させて配置すればよい。また、連動機構は、前後の吊車を後扉に搭載する補助フレームを介して後扉の上端に搭載することができる。
【図面の簡単な説明】
【００１３】
【図１】全体模式正面図
【図２】図１の水平断面図
【図３】要部構成斜視図
【図４】図１のＸ矢視相当要部拡大図
【図５】図１のＹ矢視相当要部拡大図
【図６】図１相当動作図
【図７】図２相当動作図
【発明を実施するための形態】
【００１４】
以下、図面を以って発明の実施の形態を説明する。
【００１５】
引戸装置は、前扉１０、後扉２０を戸枠３０に組み込んでなる（図１、図２）。ただし、図１、図２は、前扉１０、後扉２０により開口部Ｆを全閉状態に閉じた場合を図示している。
【００１６】
戸枠３０の後部側には、収納壁として形成する戸袋Ｂが形成されている。後扉２０は、前扉１０を収納し、前扉１０とともに戸袋Ｂに収納することにより、開口部Ｆを全面開放することができる。
【００１７】
戸枠３０は、下枠３１と、前後の竪枠３２、３３と、上枠３４とを有する。なお、戸袋Ｂの前端には、支柱３５、３５が立設されており、支柱３５、３５の間には、後扉２０を進入させることができる。また、各支柱３５と後の竪枠３３との間には、壁Ｗ、Ｗに埋め込む戸袋Ｂの側板３６、３６が張られている。戸枠３０の上部には、前後に長いハンガレール３７が上枠３４内に設置されており、ハンガレール３７は、戸枠３０の前部から、戸袋Ｂの上部を通って後の竪枠３３に到達している。
【００１８】
前扉１０は、吊車１１を介して前部がハンガレール３７から吊下され、戸車１２を介して後扉２０の下端の走行レール２２により後部が前後動自在に支持されている。吊車１１には、外れ止め用の補助ローラ１１ａが付設され、吊車１１、補助ローラ１１ａは、共通のブラケット１１ｂを介して前扉１０の前部上端に搭載されている。また、戸車１２は、ブラケット１２ａを介して前扉１０の後部下端に組み付けられている。なお、前扉１０の後部上端には、第１のガイドローラ１３が上向きに装着されており、第１のガイドローラ１３は、後扉２０に係合して前扉１０を振れ止めすることができる。また、前扉１０の前部には、操作用の把手１４、１４が両面に突出して取り付けられており、前扉１０の後端には、戸当り１５が付設されている。
【００１９】
後扉２０は、前後の吊車２１、２１を介してハンガレール３７から前後動自在に吊下されている。ただし、各吊車２１には、外れ止め用の補助ローラ２１ａが付設されており、吊車２１、補助ローラ２１ａは、共通のブラケット２１ｂを介して後扉２０の上端の補助フレーム２４上に搭載されている。また、戸袋Ｂの前端付近には、第２のガイドローラ２３が下枠３１上に上向きに設けられ、第２のガイドローラ２３は、後扉２０の下端に係合し、後扉２０の下部を前後方向にガイドして後扉２０の傾きを防止することができる。
【００２０】
前扉１０、後扉２０は、連動機構４０を介して連結されている。
【００２１】
連動機構４０は、前後の吊車２１、２１用の補助フレーム２４を介して後扉２０の上端に搭載する前後のプーリ４１、４１と、プーリ４１、４１に巻き掛ける無端のワイヤ４２とを備えている。ただし、前のプーリ４１は、補助フレーム２４を延長することにより、後扉２０の前方に突出するようにして配置されている。また、ワイヤ４２は、前扉１０上の固定金具４３を介して前扉１０の後部に連結され、上枠３４内の固定金具４４を介して戸枠３０に連結されている。
【００２２】
前扉１０の後部上端の第１のガイドローラ１３は、後扉２０の上端に係合している（図３、図４）。また、連動機構４０の前のプーリ４１は、左右対称の断面ハット形の補助フレーム２４の両側面、上面を延長して後扉２０の前方に下向きに装着されている。なお、前のプーリ４１は、調節ねじ付きのテンションブラケット４１ａを介して前後に移動可能であり、ワイヤ４２のテンションを調節することができる。また、ワイヤ４２は、補助フレーム２４の内外に位置しており、前扉１０上の固定金具４３は、前扉１０を後扉２０に収納するとき、補助フレーム２４内に進入可能である。
【００２３】
ハンガレール３７は、建屋の構造材に連結する支持材３７ａ、３７ｂを介して上枠３４内に組み付けられている。ただし、支持材３７ａ、３７ｂは、上枠３４の一部を構成しており、固定金具４４は、支持材３７ｂに取り付けられている。前扉１０の吊車１１用のブラケット１１ｂは、スペーサ１１ｃを介して前扉１０の前部上端に取り付けられており、後扉２０の吊車２１用のブラケット２１ｂは、スペーサ２１ｃを介して、補助フレーム２４の上面に固定されている。上枠３４には、着脱可能な引掛け式の点検蓋３４ａが設けられており、上枠３４の下面は、開口部Ｆの前部において、前扉１０の両面近くまで閉じられ（図４の点線）、開口部Ｆの後部において、後扉２０の両面近くまで閉じられている（同図の実線）。
【００２４】
前扉１０の後部下端の戸車１２は、後扉２０の下端に装着する走行レール２２上を前後に走行する（図５）。なお、走行レール２２には、戸車１２の上部を覆うように、上方に立ち上げて屈曲させる補助片２２ａが一体に形成されており、補助片２２ａは、戸車１２の外れ止めをすることができる。また、下枠３１上の第２のガイドローラ２３は、断面ハット形の走行レール２２の下面に係合しており、第２のガイドローラ２３は、戸袋Ｂの側板３６、３６を固定するブラケット３６ａ上に、スペーサ２３ａを介して立設されている。
【００２５】
前扉１０、後扉２０により開口部Ｆを全閉状態に閉じると（図１、図２）、前扉１０は、ほぼ全体が後扉２０から引き出され、前扉１０の前端は、前の竪枠３２に当接して停止する一方、前扉１０の後端は、後扉２０内に僅かに残り、第１のガイドローラ１３は、後扉２０の前端部に係合している。また、後扉２０は、ほぼ全体が戸袋Ｂから引き出され、後扉２０の後端は、戸袋Ｂ内に僅かに残っている。そこで、第２のガイドローラ２３は、後扉２０の後部に係合している。なお、ハンガレール３７は、前扉１０、後扉２０をこのような全閉状態に維持するために、僅かに前下りに設置するものとする。また、上枠３４内には、前扉１０、後扉２０を全閉状態に閉じるとき、過大な衝撃を生じることなく後扉２０を図１、図２の規定位置に停止させるために、図示しないダンパが設置されている。
【００２６】
開口部Ｆを開放するために、把手１４を介して前扉１０を後方に引き操作すると（図１、図２の各矢印Ｋ1 方向）、連動機構４０のワイヤ４２は、固定金具４４を介して戸枠３０に連結されているため、固定金具４３を介して前のプーリ４１を後方に引く方向に張力が加えられ、したがって、後扉２０は、ワイヤ４２、前のプーリ４１を介して後方に駆動される（図２の矢印Ｋ2 方向）。このとき、ワイヤ４２は、後扉２０上のプーリ４１、４１に巻き掛けられたまま、プーリ４１、４１の回転により緩むことなく後扉２０の後退とともに後方に移動する。また、後扉２０の後退速度は、前扉１０の後退速度の１／２である。すなわち、前扉１０は、後退するに従って後扉２０内に収納され、後扉２０は、戸袋Ｂ内に収納される。
【００２７】
開口部Ｆを全開状態に開放すると（図６、図７）、前扉１０は、把手１４、１４を取り付ける前端部を除いてほぼ全体が後扉２０に収納され、後端の戸当り１５が後扉２０の後端から突出して後の竪枠３３に当接して停止する。このとき、前扉１０上の第１のガイドローラ１３は、後扉２０の後端部に係合している。また、後扉２０は、前扉１０とともにほぼ全体が戸袋Ｂに収納され、第２のガイドローラ２３は、後扉２０の前端部に係合している。なお、上枠３４には、このような全開状態の後扉２０を軽くロックするために、図示しないストッパが装着されている。
【００２８】
つづいて、前扉１０、後扉２０を全閉状態にするときは、把手１４を介して前扉１０を前方に引き操作する（図６、図７の各矢印Ｋ3 方向）。このとき、連動機構４０のワイヤ４２には、固定金具４３を介して後のプーリ４１を前進させるように張力が加えられ、後扉２０を前進させる。なお、このときも、後扉２０の前進速度は、前扉１０の前進速度の１／２である。そこで、前扉１０は、前進するに従って後扉２０から引き出され、後扉２０は、戸袋Ｂから引き出されるため、最終的に図１、図２の全閉状態に移行させることができる。
【００２９】
なお、第１のガイドローラ１３は、前扉１０、後扉２０の全開操作、全閉操作の全ストロークに亘り、常に後扉２０に係合して前扉１０を振れ止めする。また、第２のガイドローラ２３は、常に後扉２０の下端に係合して後扉２０の傾きを防止する。すなわち、前扉１０は、吊車１１、戸車１２を介して、また、後扉２０は、吊車２１、２１を介して、それぞれ軽快に前後動させることができる。
【００３０】
以上の説明において、連動機構４０は、プーリ４１、ワイヤ４２を使用するに代えて、スプロケットとチェーンとを使用してもよい。また、連動機構４０は、特許文献１のように、戸袋Ｂの後部に設ける揺動杆と、前扉１０、後扉２０の各後部に組み込む摺動駒とを組み合わせて構成してもよい。
【符号の説明】
【００３１】
Ｂ…戸袋
１０…前扉
１１…吊車
１２…戸車
１３…第１のガイドローラ
２０…後扉
２１…吊車
２２…走行レール
２４…補助フレーム
３０…戸枠
３７…ハンガレール
４０…連動機構
４１…プーリ
４１ａ…テンションブラケット
４２…ワイヤ
特許出願人      小松ウオール工業株式会社
【図１】
0005701231.tif 000002
【図２】
0005701231.tif 000003
【図３】
0005701231.tif 000004
【図４】
0005701231.tif 000005
【図５】
0005701231.tif 000006
【図６】
0005701231.tif 000007
【図７】
0005701231.tif 000008